(57)【要約】  本発明は、制御ネットワーク要素、転送ネットワーク要素及びインターネットプロトコルネットワークのルーティング方法を提供し、転送ネットワーク要素が制御ネットワーク要素により送信されたメッセージ識別規則に基づいてデータメッセージに対してディープパケットインスペクションを行って識別結果を得るとともに、前記制御ネットワーク要素に報告することと、制御ネットワーク要素が前記識別結果に基づいてルーティングポリシーを作成することと、制御ネットワーク要素が前記ルーティングポリシーを前記転送ネットワーク要素に送信することと、転送ネットワーク要素が前記ルーティングポリシーに基づいて前記データメッセージを転送することとを含み、本発明はさらに、制御ネットワーク要素と転送ネットワーク要素を提供する。本発明に係る技術方案によれば、できるだけ多くのルーティング方案を提供し、異なる需要を満足することができる。【選択図】図４
2013501434.tif 000002
【特許請求の範囲】
【請求項１】
制御ネットワーク要素であって、ポリシー作成モジュールと、ポリシー送信モジュールとを含み、
ポリシー作成モジュールは、転送ネットワーク要素により報告された識別結果に基づいてルーティングポリシーを作成することに用いられ、前記識別結果は、前記転送ネットワーク要素が識別規則に基づいてデータメッセージに対してディープパケットインスペクションを行って得た結果であり、
ポリシー送信モジュールは、前記ルーティングポリシーを前記転送ネットワーク要素に送信し、前記転送ネットワーク要素に前記ルーティングポリシーに基づいてデータメッセージを転送させることに用いられることを特徴とする制御ネットワーク要素。
【請求項２】
前記識別結果は、ユーザー情報、業務情報及びデータ内容情報の中の少なくとも1つを含むことを特徴とする請求項1に記載の制御ネットワーク要素。
【請求項３】
前記ポリシー作成モジュールはさらに、規則送信モジュールと、結果受信モジュールと、ポリシー確定モジュールとを含み、
規則送信モジュールは、管轄範囲内の転送ネットワーク要素にメッセージ識別規則を送信することに用いられ、
結果受信モジュールは、前記転送ネットワーク要素により報告された識別結果を受信することに用いられ、
ポリシー確定モジュールは、前記識別結果に基づいてルーティングポリシーを確定することに用いられ、前記ルーティングポリシーがルーティング転送情報を含むことを特徴とする請求項1又は2に記載の制御ネットワーク要素。
【請求項４】
前記識別結果には、開放型システム間相互接続モデルにおける層2から層7までの情報を含むことを特徴とする請求項3に記載の制御ネットワーク要素。
【請求項５】
転送ネットワーク要素であって、識別処理モジュールと、転送処理モジュールとを含み、
識別処理モジュールは、制御ネットワーク要素により送信されたメッセージ識別規則に基づいてデータメッセージに対してディープパケットインスペクションを行い、識別結果を得るとともに、前記識別結果を前記制御ネットワーク要素に報告することに用いられ、
転送処理モジュールは、ルーティングポリシーに基づいて前記データメッセージを転送することに用いられ、前記ルーティングポリシーが前記制御ネットワーク要素により前記識別結果に基づいて確定され、且つ送信されることを特徴とする転送ネットワーク要素。
【請求項６】
前記識別結果は、ユーザー情報、業務情報及びデータ内容情報の中の少なくとも1つを含むことを特徴とする請求項5に記載の転送ネットワーク要素。
【請求項７】
前記識別処理モジュールはさらに、規則受信モジュールと、メッセージ識別モジュールと、結果報告モジュールとを含み、その中、
規則受信モジュールは、制御ネットワーク要素により送信されたメッセージ識別規則を受信することに用いられ、
メッセージ識別モジュールは、前記識別規則に基づいて受信したデータメッセージに対してディープパケットインスペクションを行い、前記識別結果を得ることに用いられ、
結果報告モジュールは、前記識別結果を前記制御ネットワーク要素に報告することに用いられることを特徴とする請求項6に記載の転送ネットワーク要素。
【請求項８】
前記転送処理モジュールはさらに、ポリシー受信モジュールと、転送制御モジュールとを含み、
ポリシー受信モジュールは、前記制御ネットワーク要素が前記識別結果に基づいて確定、且つ送信したルーティングポリシーを受信することに用いられ、
転送制御モジュールは、前記ルーティングポリシーに基づいて前記データメッセージを転送することに用いられることを特徴とする請求項6に記載の転送ネットワーク要素。
【請求項９】
インターネットプロトコルネットワークのルーティング方法であって、該方法は、
前記転送ネットワーク要素が、制御ネットワーク要素により送信されたメッセージ識別規則に基づいてデータメッセージに対してディープパケットインスペクションを行って識別結果を得るとともに、前記制御ネットワーク要素に報告することと、
前記制御ネットワーク要素が、前記識別結果に基づいてルーティングポリシーを作成することと、
前記制御ネットワーク要素が、前記ルーティングポリシーを前記転送ネットワーク要素に送信することと、
前記転送ネットワーク要素が、前記ルーティングポリシーに基づいて前記データメッセージを転送することとを含むことを特徴とするインターネットプロトコルネットワークのルーティング方法。
【請求項１０】
前記識別結果は、ユーザー情報、業務情報及びデータ内容情報の中の少なくとも1つを含むことを特徴とする請求項9に記載のインターネットプロトコルネットワークのルーティング方法。
【発明の詳細な説明】
【技術分野】
【０００１】
本発明はIP(Internet Protocol、インターネットプロトコル)ネットワーク技術分野に関し、特に、制御ネットワーク要素、転送ネットワーク要素及びインターネットプロトコルネットワークのルーティング方法に関する。
【背景技術】
【０００２】
インターネット技術の急速な発展につれて、IPネットワークが広く、大規模的に商用されるとともに、商用ネットワークの規模とユーザー数とが持続、急速に発展している。
【０００３】
より多くの新業務、新機能がネットワークに導入されることにつれて、IPネットワークの制御プレーンがますます複雑になり、制御プレーン、データプレーン及び管理プレーンの拡張可能性が、IPネットワーク進化過程に直面する主な問題になる。
【０００４】
従来のIPネットワークアーキテクチャー設計の欠陥が、極めてネットワーク容量、ネットワーク拡張可能性、制御可能性、安全性及びQoS(Quality of Service、サービスの品質)などを制限する。従来のIPネットワークにおいて、制御プレーンとデータプレーンとが同一のネットワークノードに集積するため、より多くの業務と制御シグナリングとがネットワークノードに加えられるとき、全体のネットワークを極めて複雑にさせ、維持しにくく、拡張しにくくさせる。
【０００５】
以上のネットワーク問題を対応するために、現在、業界が制御転送分離の理念を提案し、即ち、制御プレーンをデータプレーンから分離して、それぞれに維持することにより、ネットワーク拡張と制御能力の圧力を減軽し、ネットワークの堅牢性を増加する。
【０００６】
図1は従来の制御転送分離のIPネットワークの構造模式図である。図1におけるネットワークは、制御プレーンとデータプレーンとが分離するネットワークであり、そのうち、制御プレーンが複数のCE(Control Element、制御ネットワーク要素)からなり、主に、ルーティング計算、ルーティング選択、業務処理などを含むすべてのネットワークプロトコルの運行を制御、管理することに用いられ、データプレーンがFE(Forwarding Element、転送ネットワーク要素)とIFE(Internal forwarding element、内部転送ネットワーク要素)とからなり、主に、業務データの転送を完成することに用いられる。
【０００７】
それ以外に、さらに1つの管理ネットワーク要素ME(Management Element)を含み、CE、FEなどのネットワーク要素のネットワークエンティティを管理することに用いられ、MEが、各ネットワーク要素の静的情報、状態情報などを監視し、且つ収集するとともに、これらの情報と配置コマンドに基づいて各ネットワーク要素を管理する。
【０００８】
図1は従来の技術の制御転送分離のIPネットワークの構造模式図であり、図1に示すように、データプレーンにおけるデータの転送が、複数のルーティング方案に応じて実現することができ、例えば、ネットワーク管理がMEによってそれのために静的に配置したルーティング情報に応じて転送することができ、CEが算出したルーティング情報(CEが収集したFEとIFEとの接続リンクのネットワーク情報に基づいて計算する)に応じて転送することができる。
【０００９】
しかしながら、従来の技術は少なくとも以下の欠点がある。
従来の技術のデータプレーンにおけるルーティング方案において、データメッセージの層4 以下の内容、つまり、ネットワーク層情報を利用することでルーティング方案を取得することしかできなく、このようなルーティング方案は大きな制限があり、ユーザーの異なる需要、例えば差異化サービス需要、安全需要などを満足できない。
【００１０】
[発明の開示]
[発明が解決しようとする課題]
本発明は、制御ネットワーク要素、転送ネットワーク要素及びインターネットプロトコルネットワークのルーティング方法を提供し、できるだけ多くのルーティング方案を提供し、異なる需要を満足することを目的とする。
【００１１】
[課題を解決するための手段]
前記目的を実現するために、本発明は、ポリシー作成モジュールと、ポリシー送信モジュールとを含む制御ネットワーク要素を提供し、そのうち、
ポリシー作成モジュールは、転送ネットワーク要素により報告された識別結果に基づいてルーティングポリシーを作成することに用いられ、前記識別結果は、前記転送ネットワーク要素が識別規則に基づいてデータメッセージに対してディープパケットインスペクションを行って得た結果であり、
ポリシー送信モジュールは、前記ルーティングポリシーを前記転送ネットワーク要素に送信し、前記転送ネットワーク要素に前記ルーティングポリシーに基づいてデータメッセージを転送させることに用いられる。
【００１２】
前記制御ネットワーク要素において、前記識別結果は、ユーザー情報、業務情報及びデータ内容情報の少なくとも1つを含む。
【００１３】
前記制御ネットワーク要素において、前記ポリシー作成モジュールはさらに、
管轄範囲内の転送ネットワーク要素にメッセージ識別規則を送信するための規則送信モジュールと、
前記転送ネットワーク要素により報告された識別結果を受信するための結果受信モジュールと、
前記識別結果に基づいて、ルーティング転送情報を含むルーティングポリシーを確定することに用いられるためのポリシー確定モジュールとを含む。
【００１４】
前記制御ネットワーク要素において、前記識別結果には、開放型システム間相互接続モデルにおける層2から層7までの情報を含む。
【００１５】
本発明はさらに、識別処理モジュールと、転送処理モジュールとを含む転送ネットワーク要素を提供し、そのうち、
識別処理モジュールは、制御ネットワーク要素により送信されたメッセージ識別規則に基づいてデータメッセージに対してディープパケットインスペクションを行い、識別結果を得るとともに、前記識別結果を前記制御ネットワーク要素に報告することに用いられ、
転送処理モジュールは、ルーティングポリシーに基づいて前記データメッセージを転送することに用いられ、前記ルーティングポリシーが前記制御ネットワーク要素により前記識別結果に基づいて確定され、且つ送信される。
【００１６】
前記転送ネットワーク要素において、前記識別結果は、ユーザー情報、業務情報及びデータ内容情報の少なくとも1つを含む。
【００１７】
前記転送ネットワーク要素において、前記識別処理モジュールはさらに、
制御ネットワーク要素により送信されたメッセージ識別規則を受信するための規則受信モジュールと、
前記識別規則に基づいて受信したデータメッセージに対してディープパケットインスペクションを行い、前記識別結果を得るためのメッセージ識別モジュールと、
前記識別結果を前記制御ネットワーク要素に報告するための結果報告モジュールとを含み、
前記転送ネットワーク要素において、前記転送処理モジュールはさらに、ポリシー受信モジュールと、転送制御モジュールとを含み、そのうち、
ポリシー受信モジュールは、前記制御ネットワーク要素が前記識別結果に基づいて確定し、且つ送信したルーティングポリシーを受信することに用いられ、
転送制御モジュールは、前記ルーティングポリシーに基づいて前記データメッセージを転送することに用いられる。
【００１８】
本発明はさらに、インターネットプロトコルネットワークのルーティング方法を提供し、
前記転送ネットワーク要素は、制御ネットワーク要素により送信されたメッセージ識別規則に基づいてデータメッセージに対してディープパケットインスペクションを行って識別結果を得るとともに、前記制御ネットワーク要素に報告することと、
前記制御ネットワーク要素は、前記識別結果に基づいてルーティングポリシーを作成することと、
前記制御ネットワーク要素は、前記ルーティングポリシーを前記転送ネットワーク要素に送信することと、
前記転送ネットワーク要素は、前記ルーティングポリシーに基づいて前記データメッセージを転送することとを含む。
【００１９】
前記インターネットプロトコルネットワークのルーティング方法において、前記識別結果は、ユーザー情報、業務情報及びデータ内容情報の少なくとも1つを含む。
【００２０】
[発明の効果]
本発明は以下の有益な効果を有する。
本発明において、FEにディープパケットインスペクションモジュールを設置することによって、データメッセージを受信した後、ディープパケットインスペクションモジュールによりデータメッセージの応用層情報を取得し、且つCEに報告し、CEにより前記データメッセージの応用層情報に基づいてルーティングポリシー計算を行い、FEがさらに、CEにより計算したルーティングポリシーに基づいてデータメッセージの転送を行い、従って、従来の方式に基づいてルーティングを行うことができるだけではなく、さらにディープパケットインスペクションの結果に基づいて対応のルーティングポリシーを作成することもでき、できるだけ多くのルーティング方案を提供することができ、異なる需要を満足する。
【図面の簡単な説明】
【００２１】
【図１】従来の技術の制御転送分離のIPネットワークの構造模式図である。
【図２】本発明のCEとFEとの構造及びそれらの接続関係の模式図である。
【図３】本発明のインターネットプロトコルネットワークのルーティング方法のフロー模式図である。
【図４】本発明の制御層面にインターネットプロトコルネットワークのルーティング方法を実現するフロー模式図である。
【図５】本発明の転送層面にインターネットプロトコルネットワークのルーティング方法を実現するフロー模式図である。
【００２２】
[具体的な実施形態]
本発明の基本方案は、転送ネットワーク要素が制御ネットワーク要素により送信されたメッセージ識別規則に基づいてデータメッセージに対してディープパケットインスペクションを行って識別結果を得るとともに、前記制御ネットワーク要素に報告し、制御ネットワーク要素が前記識別結果に基づいてルーティングポリシーを作成し、制御ネットワーク要素が前記ルーティングポリシーを前記転送ネットワーク要素に送信し、転送ネットワーク要素が前記ルーティングポリシーに基づいて前記データメッセージを転送することである。
【００２３】
次に、図面及び具体的な実施例によって本発明についてさらに詳しく説明する。
【００２４】
本発明は制御ネットワーク要素と転送ネットワーク要素とを提供し、図2が本発明CEとFEとの構造及びそれらの接続関係の模式図であり、図2に示すように、CE21は、ポリシー作成モジュール211とポリシー送信モジュール212を含み、
ポリシー作成モジュール211はFE22により報告された識別結果に基づいて、ルーティングポリシーを作成することに用いられ、前記識別結果は、前記FE22が識別規則に基づいてデータメッセージに対してディープパケットインスペクションを行って得た結果であり、
ポリシー送信モジュール212は前記ルーティングポリシーを前記FE22に送信し、前記FE22に前記ルーティングポリシーに基づいてデータメッセージを転送させることに用いられ、
その中に、当該ポリシー作成モジュール211は具体的に、規則送信モジュール2111と、結果受信モジュール2112と、ポリシー確定モジュール2113とを含み、
規則送信モジュール2111は管轄範囲内のFE22にメッセージ識別規則を送信することに用いられ、
結果受信モジュール2112はFE22により報告された識別結果を受信することに用いられ、前記識別結果は、前記FE22が前記識別規則に基づいて受信したデータメッセージに対してディープパケットインスペクションを行って得た前記データメッセージの応用層情報を含む結果であり、
ポリシー確定モジュール2113は前記識別結果に基づいて、ルーティング転送情報を含むルーティングポリシーを確定することに用いられる。
【００２５】
図2に示すように、FE22は、識別処理モジュール221と転送処理モジュール222とを含め、
識別処理モジュール221はCE21により送信されたメッセージ識別規則に基づいてデータメッセージに対してディープパケットインスペクションを行い、識別結果を得るとともに、前記識別結果を前記CE21に報告することに用いられ、
転送処理モジュール222はルーティングポリシーに基づいて前記データメッセージを転送することに用いられ、前記ルーティングポリシーが前記CE21により前記識別結果に基づいて確定され、且つ送信される。
【００２６】
識別処理モジュール221は、
CE21により送信されたメッセージ識別規則を受信するための規則受信モジュール2211と、
前記メッセージ識別規則に基づいて受信したデータメッセージに対してディープパケットインスペクションを行い、前記データメッセージの応用層情報を含む識別結果を得るためのメッセージ識別モジュール2212と、
前記識別結果を前記CE21に報告するための結果報告モジュール2213とを含み、
転送処理モジュール222は具体的に、
前記CE21が前記識別結果に基づいて確定したルーティングポリシーを受信するためのポリシー受信モジュール2221と、
前記ルーティングポリシーに基づいて前記データメッセージを転送するための転送制御モジュール2222とを含む。
【００２７】
本発明におけるインターネットプロトコルネットワークは、少なくとも1つの制御ネットワーク要素と、複数の転送ネットワーク要素と、複数の内部転送ネットワーク要素とを含み、その中のCEとFEとがすでに前で詳しく説明したため、ここでは贅言しない。
【００２８】
制御ネットワーク要素は、1つであってもよく、複数であってもよく、制御ネットワーク要素の数量が複数であるとき、CEのロードシェア及び/又は冗長バックアップを実現することができる。
【００２９】
本発明は、インターネットプロトコルネットワークのルーティング方法を提供し、図3は本発明インターネットプロトコルネットワークのルーティング方法のフロー模式図であり、図3に示すように、当該方法は以下のステップを含め、
ステップ31、前記転送ネットワーク要素は、CEにより送信されたメッセージ識別規則に基づいてデータメッセージに対してディープパケットインスペクションを行って識別結果を得るとともに、前記CEに報告し、
ステップ32、前記CEは、前記識別結果に基づいてルーティングポリシーを作成し、
ステップ33、前記CEは、前記ルーティングポリシーを前記FEに送信し、
ステップ34、前記FEは、前記ルーティングポリシーに基づいて前記データメッセージを転送する。
【００３０】
図4は本発明が制御層面にインターネットプロトコルネットワークのルーティング方法を実現するフロー模式図であり、図4に示すように、当該方法は以下のステップを含め、
ステップ41、CEは管轄範囲内のFEにメッセージ識別規則を送信し、
ステップ42、CEはFEにより報告された識別結果を受信し、前記識別結果は、前記FEが前記識別規則に基づいて、受信したデータメッセージに対してディープパケットインスペクションを行って得た、前記データメッセージの応用層情報を含む結果であり、
ステップ43、CEは前記識別結果に基づいてルーティングポリシーを確定し、
ステップ44、CEは前記ルーティングポリシーを前記FEに送信し、前記FEに前記ルーティングポリシーに基づいて前記データメッセージを転送させる。
【００３１】
図5は本発明が転送層面にインターネットプロトコルネットワークのルーティング方法を実現するフロー模式図であり、図5に示すように、当該方法は以下のステップを含め、
ステップ51、FEはCEにより送信されたメッセージ識別規則を受信し、
ステップ52、FEは前記識別規則に基づいて、受信したデータメッセージに対してディープパケットインスペクションを行い、前記データメッセージの応用層情報を含む識別結果を得る。
ステップ53、FEは前記識別結果を前記CEに報告することに用いられ、
ステップ54、FEは前記CEが前記識別結果に基づいて確定したルーティングポリシーを受信し、
ステップ55、FEは前記ルーティングポリシーに基づいて前記データメッセージを転送する。
【００３２】
本発明により提供されたIPネットワークは、制御と転送とが分離するネットワークであり、FPBN (Future Packet Based Networks、将来のパケット型ベースネットワーク)であってもよく、CEはiSCP (independent Scalable Control Plane、独立拡張可能な制御プレーン)技術に基づいて実現する制御設備であってもよい。
【００３３】
前記叙述は、本発明の新に増加の部分について説明するものであり、それ以外、本発明におけるCEもその他のルーティングポリシーの計算モジュールを有し、それぞれ以下のように説明する。
【００３４】
本発明に係るCEはさらに、
FEにより報告された接続リンクのネットワーク情報に応じてルーティングを計算するためのルーティング計算モジュールと、
ルーティング関係のポリシー決定(MEから)を執行し、ルーティングプロトコルを運行し、経路表RIB(Routing Information Base) を計算、維持し、データプレーンに、ネクストホップ情報を含む隣接表と転送表FIB(Forwarding Information Base)などを発信するための決定モジュールとを含み、
経路表RIBには各種のルーティングプロトコル、例えばOSPF、BGPなどからのルーティングを記録し、FIBは、RIBから選択した最適ルーティングを関係の転送情報、例えばネクストホップアドレス、出力インターフェース（egress）情報などを付加して一体に結合してなる情報表である。
【００３５】
FEはFIBに基づいて自身が記憶したFIBをアップデートし、且つFIBに基づいてネクストホップ情報を調べてデータメッセージの転送を実現し、すべてのパケット転送機能が必要であるFEとIFEとがいずれもFIB表を保存する必要がある。
【００３６】
FEにはさらに、
FEが、ルーティングプロトコル関係のメッセージをデータメッセージから分離し出すとともに、CEにリダイレクトするリダイレクトモジュールと、
接続リンクのネットワーク情報をCEに報告してルーティング計算を行うための情報報告モジュールとを含む。
【００３７】
本発明の具体的な実施方式において、主に、FEにメッセージ識別モジュールを設置することによって、ディープパケットインスペクション技術を利用して、データメッセージの層2-層7間の内容を取得するとともに、データメッセージの層2-層7間の情報に基づいて対応のルーティングポリシーを確定し、できるだけ多くの需要を満足する。
【００３８】
次に、異なる実例で本発明について、詳しく説明する。
【００３９】
本発明に係る第1実施例
従来のP2P業務(例えばBT業務、イーミュール業務など)について、多くの帯域幅リソースを占用し、その他のユーザーが正常のサービスを得ない恐れがあり、このような場合に対して、従来のIPネットワークは目標性のルーティングポリシー計算を行うことができないが、本発明の実施例はこのようなP2P業務に対して対応のルーティングポリシーを設置することができ、次にBT業務を例として処理過程を詳しく説明する。
【００４０】
CEは予めにメッセージ識別規則を設定し、例えば、データメッセージの層2-層7にBT特徴字(19BitTorrent Protocol)を含むメッセージがP2P業務のデータメッセージであり、例えば、Bittorrentプロトコルの識別は、リバースエンジニアリングの方法によって、それの対等プロトコルに対して分析し、対等プロトコルとは、PeerとPeerとの間に情報を交換するプロトコルである。対等プロトコルは、1つのハンドシェイクから始まり、後には循環のメッセージフローであり、各メッセージの前に、1つの数字があってメッセージの長さを表し、例えばハンドシェイク過程で、まず19を発信し、次は文字列「BitTorrent protocol」であり、それでは「19BitTorrent Protocol」はBittorrentの「特徴字」である。
【００４１】
CEにおける規則送信モジュールは当該メッセージ識別規則をFEに送信し、
FEの規則受信モジュールは当該メッセージ識別規則を受信して記憶し、データメッセージを受信されたとき、メッセージ識別モジュールがディープインスペクション技術で、全面的にメッセージを分析し、当該メッセージが、BT業務のデータメッセージであれば、得た識別結果が、データメッセージの業務類型がBT業務であることを指示し、且つ結果報告モジュールにより当該識別結果をCEの結果受信モジュールに報告し、
ディープインスペクション技術を利用して、BTメッセージを識別することについて、具体的に以下のように説明する。
【００４２】
対等プロトコルが1つのハンドシェイクから始まり、後には循環のメッセージフローであり、各メッセージの前に、1つの数字があってメッセージの長さを表すため、従って、メッセージ識別モジュールが、受信したデータメッセージを分析し、メッセージに文字列「19BitTorrent Protocol」が存在するかどうかを判断することができ、もし存在すれば、当該データメッセージがBT業務のデータメッセージであることを判断することができ、得た識別結果が、データメッセージの業務類型がBT業務であることを指示し、且つデータメッセージの業務類型がBT業務であることを指示する識別結果を発生する。
【００４３】
CEの結果受信モジュールが、当該識別結果を受信した後、ポリシー確定モジュールは、当該識別結果がデータメッセージの業務類型を指示することを発見し、データメッセージが属する業務類型に基づいて対応のルーティングポリシーを確定し、ルーティングポリシーを以下のようにとする。
【００４４】
すべてのP2P業務に対して、CEがデータ転送面の特定のリンクを単独にP2P業務に配分することができ、P2P業務のデータメッセージが、これらの特定のリンクだけによってネットワーク内に転送し(つまり、ルーティング転送情報を確定する)、その他の非P2P
【００４５】
業務の帯域幅を占用しなく、その他の業務の正常運行を保証することができる。
CEのポリシー送信モジュールは確定したルーティングポリシーをFEに発信し、
FEのポリシー受信モジュールは当該ルーティングポリシーを受信し、且つ転送制御モジュールにより当該ルーティングポリシーに基づいてBT業務のデータメッセージの転送を行う。
【００４６】
前記ポリシーはその他のポリシーであってもよく、本発明の実施例は、メッセージ識別モジュールにより識別されたデータメッセージの情報に基づいてルーティングポリシーの作成を行うことにより、できるだけ多くの需要を満足することだけを注目し、具体的なルーティングポリシーを限定しない。
【００４７】
本発明に係る第2実施例
従来の異なる業務について、それぞれのQoS需要があり、そのQoS需要に応じてルーティングポリシーを確定しないと、業務需要を満足できなく、ユーザー満足度の低下を引き起こす恐れがあり、本発明は業務のQoSに対して対応のルーティングポリシーを設置することができ、処理過程を以下のように詳しく説明する。
【００４８】
CEは予めに1つのメッセージ識別規則を設置し、本実施例における情況に対して、メッセージ識別規則がデータメッセージにおけるQoSフィールドを取得することであり、
CEにおける規則送信モジュールは当該メッセージ識別規則をFEに送信し、
FEの規則受信モジュールは当該メッセージ識別規則を受信して記憶し、データメッセージを受信するとき、メッセージ識別モジュールがディープインスペクション技術を利用して、全面的にメッセージを分析し、データメッセージのQoSフィールドの情報を取得し、対応の識別結果がデータメッセージのQoS需要を指示し、且つ結果報告モジュールにより当該識別結果をCEの結果受信モジュールに報告し、
CEの結果受信モジュールが当該識別結果を受信した後、ポリシー確定モジュールは、当該識別結果がデータメッセージのQoSを指示することを発見すると、データメッセージのQoSに基づいて対応のルーティングポリシーを確定し、ルーティングポリシーを以下のようにとする。
【００４９】
QoS需要が第1プリセット値よりも大きいメッセージに対して、CEがそれに、データ転送面の、当該メッセージのためにサービスする可能性があるリンクにおいてサービスの品質が一番であるリンクを配分することができ、当該データメッセージが、これらの特定のリンクによってネットワーク内に転送し(つまり、ルーティング転送情報を確定する)、QoS需要を保証できる。
【００５０】
CEのポリシー送信モジュールは確定したルーティングポリシーをFEに発信し、
FEのポリシー受信モジュールは当該ルーティングポリシーを受信し、且つ転送制御モジュールにより当該ルーティングポリシーに基づいてデータメッセージの転送を行う。
【００５１】
前記ポリシーがその他のポリシーであってもよく、本発明の実施例は、メッセージ識別モジュールにより識別されたデータメッセージの情報に基づいてルーティングポリシーを作成することで、できるだけ多くの需要を満足することだけを注目し、具体的なルーティングポリシーを限定しない。
【００５２】
本発明に係る第3実施例
現在の異なるユーザーにおいて、あるユーザーが高い優先レベルを有し、あるユーザーの優先レベルが相対的に低下し、従って、サービス過程で、区別に扱う必要があり、区別に扱わないと不公平を引き起こす恐れがある。本発明は異なるユーザーに対して対応のルーティングポリシーを設置することができ、処理過程を以下のように詳しく説明する。
【００５３】
CEは予めに1つのメッセージ識別規則を設置し、本実施例における情況に対して、メッセージ識別規則が、データメッセージにおけるユーザー情報フィールドを取得することであり、
CEは当該メッセージ識別規則をFEに送信し、
CEにおける規則送信モジュールは当該メッセージ識別規則をFEに送信し、
FEの規則受信モジュールは当該メッセージ識別規則を受信して記憶し、データメッセージを受信したとき、メッセージ識別モジュールはディープインスペクション技術を利用し、全面的にメッセージを分析し、データメッセージのユーザーフィールドの情報を取得し、対応の識別結果が、データメッセージのユーザー情報を指示し、且つ結果報告モジュールによりこの識別結果を報告し、
CEの結果受信モジュールが当該識別結果を受信した後、ポリシー確定モジュールは、当該識別結果がデータメッセージのユーザー情報を指示することを発見すると、データメッセージのユーザー情報に基づいて対応のルーティングポリシーを確定し、ルーティングポリシーを以下のようにとする。
【００５４】
ユーザー優先レベルが高いメッセージに対して、CEがそれに、データ転送面の、リンクの品質がユーザー優先レベル低いのメッセージよりも高いをリンクを配分することができ、当該データメッセージが、これらの特定のリンクによってネットワーク内に転送することができ(つまり、ルーティング転送情報を確定する)、ユーザー優先レベルの高いユーザーがより高い品質のサービスを取得できることを保証する。
【００５５】
CEのポリシー送信モジュールは確定したルーティングポリシーをFEに発信し、
FEのポリシー受信モジュールは当該ルーティングポリシーを受信し、且つ転送制御モジュールにより当該ルーティングポリシーに基づいてデータメッセージの転送を行う。
【００５６】
前記ポリシーがその他のポリシーであってもよく、本発明の実施例は、メッセージ識別モジュールにより識別されたデータメッセージの情報に基づいてルーティングポリシーを作成し、できるだけ多くの需要を満足することだけを注目し、具体的なルーティングポリシーを限定しない。
【００５７】
前記例において、いずれも1つの特徴を例(業務類型に基づく、QoS需要に基づく、ユーザーに基づく)として説明し、メッセージ識別規則に関するメッセージ特徴が、層2-層7における特徴、例えば暗号化特徴などであってもよく、暗号化特徴が一定条件を満足するとき、そのために安全性が高いリンクを選択して転送し、ひいてはデータ内容に基づいて処理できることを理解すべきである。
【００５８】
当然に当該メッセージ識別規則において複数のメッセージ特徴を関してもよく、当該複数のメッセージ特徴がデータメッセージの異なる層からのものであってもよく、例えば当該メッセージ特徴が、ソースアドレス、目的アドレス、ソースポート、目的ポート及びプロトコル類型などであってもよい。
【００５９】
前記それぞれの情況の組み合わせについて、ここでは一々挙げない。
以上はただ本発明の好ましい実施方式であり、当業者にとって、本発明原理から離れない前提で、若干の改良と潤色をしてもよいが、これらの改良と潤色が本発明の保護範囲に入るべきである。
【図１】
2013501434.tif 000003
【図２】
2013501434.tif 000004
【図３】
2013501434.tif 000005
【図４】
2013501434.tif 000006
【図５】
2013501434.tif 000007
【国際調査報告】
2013501434.tif 000008
2013501434.tif 000009
2013501434.tif 000010
2013501434.tif 000011